(57)【要約】【課題】基板間で配線をする場合に、配線に必要なスペースを低減できる基板構造を提供する。【解決手段】プリント基板２０４において、接続ケーブル２０６は、それぞれコネクタ２０８と接続している。プリント基板２０４には、貫通孔であるケーブル保持用穴２１０とケーブル挿入用スリット２１２が設けられている。接続ケーブル２０６は、それぞれケーブル保持用穴２１０に通されることによって保持される。【選択図】図４
2007157914.tif 000002
【特許請求の範囲】
【請求項１】
それぞれ面上に信号を伝える信号線が設けられ、前記面が実質的に並行になるように配設される複数の電子回路基板と、
前記回路基板の２つ以上の対応する位置に設けられ、前記信号線に接続された貫通孔と、
前記電子回路基板の２つ以上の対応する位置に設けられた貫通孔同士を接続し、これらの基板の間で前記信号を伝える配線と
を有する基板モジュール。
【発明の詳細な説明】
【技術分野】
【０００１】
本発明は、基板モジュールに関する。
【背景技術】
【０００２】
例えば、高周波信号を用いる無線機のモジュール構造においては、モジュール内に重ねて搭載された複数のプリント基板間で接続を取る場合、基板のパターン配線による接続よりも、ケーブル接続の方が、電気性能上安定する。
ケーブル接続の場合、配線スペースを考慮する必要があるが、無線機の小型化，軽量化のためには、配線スペースを低減することが求められる。
【発明の開示】
【発明が解決しようとする課題】
【０００３】
本発明は、基板間で信号線を配線をする場合に、配線に必要なスペースを低減できる基板モジュールを提供することを目的とする。
【課題を解決するための手段】
【０００４】
本発明に係る基板モジュールは、それぞれ面上に信号を伝える信号線が設けられ、前記面が実質的に並行になるように配設される複数の電子回路基板と、前記回路基板の２つ以上の対応する位置に設けられ、前記信号線に接続された貫通孔と、前記電子回路基板の２つ以上の対応する位置に設けられた貫通孔同士を接続し、これらの基板の間で前記信号を伝える配線とを有する。
【発明の効果】
【０００５】
本発明に係る基板モジュールによれば、基板間で信号線を配線をする場合に、配線に必要なスペースを低減できる。
【発明を実施するための最良の形態】
【０００６】
以下、本発明の実施形態について、図面を参照にして説明する。
図１は、第１の無線機１の外観を示す図である。
図１に示すように、無線機１には、複数のモジュール１０が搭載される。
図２は、無線機１に搭載されるモジュール１０の外観図である。
図２に示すように、モジュール１０は、モジュールケース１０２とプリント基板１０４−１〜１０４−３とで構成される。
【０００７】
図３は、第１のモジュールの構造を示す図であり、同図（ａ）は、正面図を示し、同図（ｂ）は、側面図を示す。
図３に示すように、モジュール１０は、モジュールケース１０２とプリント基板１０４−１〜１０４−３とで構成され、プリント基板１０４−１〜１０４−３は、それぞれ接続ケーブル１０６ａ〜１０６ｆによって接続されている。
【０００８】
プリント基板１０４−１〜１０４−３において、接続ケーブル１０６ａ〜１０６ｆは、コネクタ１０８ａ〜１０８ｆと接続している。
また、接続ケーブル１０６ａ〜１０６ｆは、ケーブル保持用部品１１０ａ〜１００ｆによって保持される。
【０００９】
この場合、基板間を接続ケーブル１０６ａ〜１０６ｆを用いて接続するためには、接続ケーブル１０６ａ〜１０６ｆを基板の外側に配線しなければならないので、図３に斜線によって示された配線スペースが必要になる。
従って、必然的にモジュールケース１０２の寸法が大きくなり、そのため全体の重量も大きくなる。
さらに、ケーブル保持用部品１１０ａ〜１１０ｆを基板上に配置するためのスペースも必要となる。
【００１０】
図４は、本発明にかかる第２のモジュール２０の構造を示す図であり、同図（ａ）は、平面図を示し、同図（ｂ）は、正面図を示し、同図（ｃ）は、側面図を示す。
図４に示すように、モジュール２０は、モジュールケース２０２とプリント基板２０４−１〜２０４−３とで構成され、プリント基板２０４−１〜２０４−３は、それぞれ接続ケーブル２０６ａ〜２０６ｆによって接続されている。
【００１１】
なお、プリント基板の枚数については、本明細書では３枚としているが、何枚であってもよく、接続ケーブルについても、本明細書では６本としているが、何本であってもよい。
また、例えば接続ケーブル２０６ａ〜２０６ｆなど、複数あり得る構成部分のいずれかが、特定されずに示されるときには、単に、接続ケーブル２０６などと略記されることがある。
また、以下の各図においては、図示の簡略化および明確化のため、本発明の説明に関係のない構成部分は、適宜省略されている。
【００１２】
プリント基板２０４−１〜２０４−３において、接続ケーブル２０６ａ〜２０６ｆは、それぞれコネクタ２０８ａ〜２０８ｆと接続している。
プリント基板２０４−１〜２０４−３には、貫通孔であるケーブル保持用穴２１０とケーブル挿入用スリット２１２が設けられている。
接続ケーブル２０６ａ〜２０６ｆは、それぞれケーブル保持用穴２１０ａ〜２１０ｆに通されることによって保持される。
なお、ケーブル保持用穴２１０とケーブル挿入用スリット２１２については、それぞれ個数は問われない。
【００１３】
図５は、図４で示したケーブル保持用穴２１０およびケーブル挿入用スリット２１２の詳細を示す図であり、同図（ａ）は、正面図を示し、同図（ｂ）は、側面図を示す。
図５に示すように、ケーブル保持用穴２１０には、穴の縁の角などによるケーブルの破損を防止するために、ブッシュ２２２が装着されている。
ブッシュ２２２は、ケーブル挿入用スリット２１２を経由してケーブル保持用穴２１０に装着できるように、ケーブル挿入用スリット２１２の形状に合わせて変形可能な構造となっている。
ブッシュ２２２は、内側を接続ケーブル２０６と接しているため、接続ケーブル２０６を保持することが可能である。
【００１４】
以下、ケーブル２０６をケーブル保持用穴２１０に装着する方法について説明する。
まず、ブッシュ２２２が、ケーブル挿入用スリット２１２を経由して、ケーブル保持用穴２１０に装着される。
次に、接続ケーブル２０６が、ケーブル挿入用スリット２１２から挿入される。
ブッシュ２２２の側面には、接続ケーブル２０６を挿入するための切欠きが設けられており、この切欠きの向きをケーブル挿入用スリット２１２の向きに合わせることによって、接続ケーブル２０６はブッシュ２２２に挿入される。
以上により、接続ケーブル２０６は、ブッシュ２２２を介して、ケーブル保持用穴２１０によって保持される。
なお、ブッシュ２２２は、ケーブルの破損を防止でき、且つケーブル挿入用スリット２１２の形状に合わせて変形可能であれば、構造や材質は問われない。
【００１５】
このような構造を有するモジュール２００によれば、基板間の接続ケーブルを保持するための部品を使用する必要がないので、基板上の配置スペースを有効に利用できる。
また、接続ケーブルを基板の外側に配線する必要がないので、モジュールケース２０２の寸法および重量を軽減でき、モジュールの小型化，軽量化が実現できる。
【図面の簡単な説明】
【００１６】
【図１】無線機の外観を示す図である。
【図２】無線機に搭載されるモジュールの外観図である。
【図３】本発明にかかる第１のモジュールの構造を示す図である。
【図４】本発明にかかる第２のモジュールの構造を示す図である。
【図５】図４で示したケーブル保持用穴およびケーブル挿入用スリットの詳細を示す図である。
【符号の説明】
【００１７】
１・・・無線機，
１０・・・モジュール，
１０２・・・モジュールケース，
１０４−１〜１０４−３・・・プリント基板，
１０６ａ〜１０６ｆ・・・接続ケーブル，
１０８ａ〜１０８ｆ・・・コネクタ，
１１０ａ〜１１０ｆ・・・ケーブル保持用部品，
２０・・・モジュール，
２０２・・・モジュールケース，
２０４−１〜２０４−３・・・プリント基板，
２０６ａ〜２０６ｆ・・・接続ケーブル，
２０８ａ〜２０８ｆ・・・コネクタ，
２１０ａ〜２１０ｆ・・・ケーブル保持用穴，
２１２−１〜２１２−６・・・ケーブル挿入用スリット，
２２２・・・ブッシュ，
【図１】
2007157914.tif 000003
【図２】
2007157914.tif 000004
【図３】
2007157914.tif 000005
【図４】
2007157914.tif 000006
【図５】
2007157914.tif 000007